(57)【要約】      （修正有）【課題】集計容易な手書きによるアンケートを実施できる装置を提供する。【解決手段】アンケート装置１を、手書きによって回答を記載するための記入部２と、記載された回答から文字情報を抽出する生成部と、記入部で記載された回答及び生成部で生成された文字情報を記録する記録部と、記録部に記録された情報を表示する第一及び第二の表示部３１，３２とで構成し、回答が記載されるごとに、記録部に記録された回答を第一の表示部に表示し、第二の表示部に一覧表示する。【選択図】図１
2014099033.tif 000002
【特許請求の範囲】
【請求項１】
利用者がアンケートに対する回答を記入するための記入部と、前記記入された回答を電子情報として記録するための記録部と、前記保存された回答を表示するための表示部と、からなるアンケート装置であって、
前記記入部は、
前記利用者が前記回答を手書きによって記入するための記入台を備え、
前記記録部は、
前記記入された回答を解析し、回答内容を文字として抽出した文字情報を含む回答情報を生成する生成部と、
を備え、
前記表示部は、
前記記録部に前記回答情報が記録されるごとに、該記録された回答情報を表示する第一の表示装置と、
前記記録部に記録された回答情報を一覧表示する、タッチパネルによる操作が可能な第二の表示装置と、
を備え、
前記第二の表示装置は、該装置に表示された回答情報の一覧から利用者が任意の回答情報をタッチパネルを用いて選択することにより、該選択された回答情報の詳細を表示する
ことを特徴とする、アンケート装置。
【請求項２】
前記記入台は、利用者がアンケートを記入するためのアンケート用紙を備え、
前記記録部は、更に、前記アンケート用紙を撮影する撮影装置を備え
たことを特徴とする、請求項１記載のアンケート装置。
【請求項３】
前記記入台は、タッチパネルによる操作が可能な第三の表示装置を備え、該第三の表示装置にアンケート文及び回答記入用の領域を表示させるとともに、利用者がタッチパネルにより前記回答記入用の領域に回答を手書きによって記入する
ことを特徴とする、請求項１記載のアンケート装置。
【請求項４】
前記アンケートは、所定の設問に対し該当する回答を選択する択一式の設問と、文章による任意の回答を求める設問を組み合わせたアンケートである
ことを特徴とする、請求項１〜３のいずれかに記載のアンケート装置。
【発明の詳細な説明】
【技術分野】
【０００１】
本発明はアンケート装置に関し、具体的には、手書き入力されたアンケート回答を電子情報として保存するアンケート装置に関する。
【背景技術】
【０００２】
従来から、アンケートを行うためのシステムとして、たとえば特許文献１や特許文献２のシステムが知られている。
【０００３】
これらの従来のアンケートシステムは、コンピュータを用いて質問に回答するものであり、コンピュータが備える一般的な入力装置、すなわち、キーボードやマウスを使用して回答するものである。
【先行技術文献】
【特許文献】
【０００４】
【特許文献１】特開２００４−９４４６３号公報
【特許文献２】特開２０１２−２０３４８６号公報
【発明の概要】
【発明が解決しようとする課題】
【０００５】
従来のアンケートシステムは、一般的なコンピュータの入力装置を用いて回答を行うものであり、多くは、所定のフォームに対して回答を文字列として入力させるか、又は、複数の回答候補の中から望ましい回答を選択させるものであった。
【０００６】
しかし、前述のような従来の回答方法によって得られたアンケートでは、回答者の心情等の情報を得ることは難しく、機械的で画一的な回答しか得られないという問題があった。
【０００７】
一方で、紙媒体のアンケート用紙に任意の回答を手書きにより記載してもらう方式は、回答者の心情等も含めて十分に得ることができるものの、集計が困難でありアンケート結果を活用することが難しいという問題があった。
【０００８】
本発明は上記の状況に着目し、集計容易な手書きによるアンケートを実施できる装置を
提供する事を、その目的としている。
【課題を解決するための手段】
【０００９】
上記課題を解決することを目的としてなされた本発明は、利用者がアンケートに対する回答を記入するための記入部と、前記記入された回答を電子情報として記録するための記録部と、前記保存された回答を表示するための表示部と、からなるアンケート装置であって、前記記入部は、前記利用者が前記回答を手書きによって記入するための記入台を備え、前記記録部は、前記記入された回答を解析し、回答内容を文字として抽出した文字情報を含む回答情報を生成する生成部と、を備え、前記表示部は、前記記録部に前記回答情報が記録されるごとに、該記録された回答情報を表示する第一の表示装置と、前記記録部に記録された回答情報を一覧表示する、タッチパネルによる操作が可能な第二の表示装置と、を備え、前記第二の表示装置は、該装置に表示された回答情報の一覧から利用者が任意の回答情報をタッチパネルを用いて選択することにより、該選択された回答情報の詳細を表示することを特徴としている。
【００１０】
本発明のアンケート装置は、前記記入台が、利用者がアンケートを記入するためのアンケート用紙を備え、前記記録部は、更に、前記アンケート用紙を撮影する撮影装置を備えていることが望ましい。また、前記記入台は、タッチパネルによる操作が可能な第三の表示装置を備え、該第三の表示装置にアンケート文及び回答記入用の領域を表示させるとともに、利用者がタッチパネルにより前記回答記入用の領域に回答を手書きによって記入するようにしてもよく、前記アンケートは、所定の設問に対し該当する回答を選択する択一式の設問と、文章による任意の回答を求める設問を組み合わせたアンケートとしてもよい。
【発明の効果】
【００１１】
本発明によれば、手書きによって記入された回答から回答内容を文字として抽出した文字情報を含む回答情報を生成することにより、手書きによるアンケートを容易に集計することができる。
【図面の簡単な説明】
【００１２】
【図１】本発明の実施形態の一例を示す図であり、（ａ）は正面図、（ｂ）は側面図である。
【図２】同実施例におけるアンケート用紙を記入台に設置した状態を示す平面図である。
【図３】同実施例におけるフレームを示す図であり、（ａ）は正面図、（ｂ）は断面拡大図である。
【図４】同実施例におけるアンケート装置の構成を示す概要図である。
【発明を実施するための形態】
【００１３】
以下、本発明の実施形態の一例を図面を参照して説明する。
図１（ａ）（ｂ）で示すように、本実施例のアンケート装置１は、回答者がアンケートの回答を記入するための記入部２と、記入部２によって記入された回答を電子化して表示するための表示部３と、記入部２及び表示部３の各種装置を制御すると共に、電子化した回答を保存するためのコンピュータ４と、記入部２と、表示部３と、コンピュータ４を設置するためのフレーム５と、から構成されている。
【００１４】
記入部２は、回答者が本実施例のアンケート装置１によりアンケートへの回答を記入するための装置であり、具体的には、アンケート用紙２１と、記入台２２と、撮影装置２３と、撮影ボタン２４と、から構成されている。
【００１５】
アンケート用紙２１は、回答者がアンケートへの回答を記入するための紙である。図２で示すように、本実施例におけるアンケート用紙２１は、回答者が自由にコメントを記載するためのコメント記載欄２１１を備えている。
【００１６】
また、アンケート用紙２１が載置される後述の記入台２２の上面には、前述のアンケート用紙２１の側面側に、複数の回答候補から任意の回答を選択させるための設問と、当該設問に対する回答の選択肢と、当該選択肢に対応する選択式回答欄が記載された設問シート２２１が配されている。
【００１７】
記入台２２は、前述のアンケート用紙２１を載置し、回答者がアンケート用紙２１に回答を記入するための机である。本実施例では、後述のフレーム５に設けられた木製の平板状部材である。
【００１８】
前述のとおり、記入台２２の上面には、アンケート用紙２１の側面側に、選択式の回答を記入させるための設問シート２２１が設けられている。
【００１９】
撮影装置２３は、アンケート用紙２１に記載されたアンケート回答を撮影し、後述のコンピュータ４によって電子化するための装置である。回答者がアンケート用紙２１に回答を記載した後に撮影ボタン２４を押すと、撮影装置２３によってアンケート用紙２１を撮影し、当該撮影した画像をコンピュータ４に送信する。
【００２０】
表示部３は、後述のコンピュータ４によって電子化されたアンケートへの回答を表示するための装置であり、本実施例では第一の表示装置３１と、第二の表示装置３２を主たる構成としている。
【００２１】
第一および第二の表示装置３１、３２は、共にディスプレイ装置であり、３台のディスプレイ装置３３ａ〜３３ｃを上下方向に並べ、当該ディスプレイ装置３３ａ〜３３ｃの前面にタッチパネル３４を設けた構成となっている。３台のディスプレイ装置３３ａ〜３３ｃの内、もっとも上側にあるディスプレイ装置３３ａが第一の表示装置３１を構成し、下側２台のディスプレイ装置３３ｂ、３３ｃが第二の表示装置３２を構成している。
【００２２】
コンピュータ４は、記入部２及び表示部３を制御すると共に、電子化された回答を記録するための装置である。コンピュータ４を構成する装置としては、一般的なハードウェア構成、すなわち、ＣＰＵ、メモリ、記録装置、入出力装置等がバスによって接続されたコンピュータであれば良いが、前述の撮影装置２３、撮影ボタン２４、ディスプレイ装置３３ａ〜３３ｃ、及びタッチパネル３４が接続可能である必要がある。また、本実施例におけるコンピュータ４は、回答内容を解析して文字情報を抽出し、回答情報を生成する生成手段と、該生成手段によって生成した回答情報を記録する記録部を備えている。記録部は、一般的なハードディスク等の記録装置を用いることができる。
【００２３】
フレーム５は、前述の記入部２と、表示部３と、コンピュータ４を設置するための台である。図３（ａ）で示すように、フレーム５は、フレーム中央部５１と、フレーム中央部５１両側面のフレーム側面部５２と、フレーム中央部５１の下方を覆うカバー５３と、フレーム５を設置する際に床面等と当接し、かつ、フレーム５の上下方向高さを調節するためのアジャスター５４と、表示部３を設置するためのブラケット５５から構成されている。
【００２４】
フレーム中央部４１及びフレーム側面部５２は、共に木製の平板状部材であり、図３（ｂ）で示すように、断面略Ｈ字状になるように接続されている。また、フレーム中央部５１には、表示部３を構成するディスプレイ装置３３ａ〜３３ｃを設置する箇所に金属製のブラケット５５が取り付けられている。
【００２５】
カバー５３は、フレーム４の下部を覆うための化粧板である。本実施例では、フレーム中央部５１に表示部３とコンピュータ５が設置されるが、カバー５３はコンピュータ５を覆うための部材である。
【００２６】
図４は、本実施例のアンケート装置の各部材同士の接続状態を示す図である。本実施例では、記入部２の撮影装置２３及び撮影ボタン２４と、表示部３のタッチパネル３４がコンピュータ４とユニバーサル・シリアル・バス（ＵＳＢ）によって接続され、表示部３のディスプレイ装置３３ａ〜３３ｃはディスプレイ制御装置３５を介してコンピュータ４と接続されている。
【００２７】
本実施例において、回答者が記入台２２上のアンケート用紙２１に回答を記載し、撮影ボタン２４を押すと、コンピュータ４が撮影装置２３を操作して、アンケート用紙２１を撮影する。撮影された画像は撮影装置２３からコンピュータ４へと送信される。コンピュータ４は、当該画像を受信すると前述の生成手段を実行し、アンケート用紙２１の内容を解析する。
【００２８】
本実施例におけるアンケートは、アンケート用紙２１のコメント記載欄２１１に記載するコメント形式の回答と、設問シート２２１に記載する選択式の回答から構成されており、前述の生成手段は、当該選択式回答のどの選択肢を回答者が選択したかを識別すると共に、コメント記載欄２１１の記載内容を画像及び文字情報として抽出する。識別された選択肢の回答と、抽出された画像及び文字情報は、回答情報としてコンピュータ４が備える記録部に記録される。
【００２９】
コンピュータ４の記録部に回答情報が記録された際には、コンピュータ４は当該記録された画像を前述の第一の表示装置３１に所定の時間において拡大表示する。拡大表示が終了すると、コンピュータ４は当該画像を表示装置３１から表示装置３２に向かって下降するように移動させながら表示する。表示装置３２には、下端側から過去に撮影された回答の画像がスタック状に積み上げられるように一覧表示されており、新たに撮影された画像は当該一覧表示の上方に配置される。
【００３０】
表示装置３２に一覧表示された回答は、表示装置３２が備えるタッチパネル３４に利用者が触れることにより、選択することができる。選択された回答は、表示装置３２のディスプレイ装置３３ｂ上に拡大表示され、利用者自身、又は他者が記載した回答を閲覧することができる。
【００３１】
本実施例では、上下方向に３台のディスプレイ装置３３ａ〜３３ｃを設け、そのもっとも上方にあるディスプレイ装置３３ａを第一の表示装置３１とし、下方のディスプレイ装置３３ｂ、３３ｃを第二の表示装置３２としている。撮影されたアンケート回答は、もっとも上方に位置する第一の表示装置３１に拡大表示された後、第二の表示装置３２に下降してスタック状に一覧表示される。本実施例ではアンケートに回答するごとに上記表示による演出を行うことができ、アンケート装置から離れた場所に居る人物に対して、当該装置によるアンケートが行われていることを知らせることができる。また、上記演出によりアンケートへの回答を誘導することができるので、より多くの回答を得ることができる。
【００３２】
なお、本発明の構成は上記実施例に限られるものではない。
たとえば、本実施例では記入部２の構成として紙媒体のアンケート用紙２１と撮影装置２３を用いているが、アンケート用紙２１と撮影装置２３に代えて、タッチパネルによる操作が可能な第三の表示装置を用いて、当該第三の表示装置上にアンケート用紙２１及び設問シート２２１を画像として表示してもよい。この場合は、第三の表示装置上で利用者がスタイラス等により直接電子化された回答を行うことができる。
また、コンピュータ４は、一のアンケート装置１ごとに必ず単体の装置として備えている必要はなく、複数のアンケート装置に対して一のコンピュータ４を用いてもよい。また、コンピュータ４が備える記録部のみを複数のアンケート装置１で共有するように構成してもよい。
その他の具体的構成についても上記の実施例に限られるものではなく、本発明の趣旨を逸脱しない範囲でさまざまな変更が可能である。
【符号の説明】
【００３３】
１              アンケート装置
２              記入部
２１            アンケート用紙
２２            記入台
２３            撮影装置
２４            撮影ボタン
３              表示部
３１            第一の表示装置
３２            第二の表示装置
３３ａ〜３３ｃ  ディスプレイ装置
３４            タッチパネル
３５            ディスプレイ制御装置
４              コンピュータ
５              フレーム
【図１】
2014099033.tif 000003
【図２】
2014099033.tif 000004
【図３】
2014099033.tif 000005
【図４】
2014099033.tif 000006